(57)【要約】【課題】小型化が図れ、カードのイジェクトをスムーズに行なうカード用コネクタ及びカード用コネクタ組立体を提供する。【解決手段】本発明のカード用コネクタにおいては、長手方向での基部と、前記カードの挿入方向の最前側の一隅に形成された連接部材と、前記連接部材と異なる平面に位置するガイド部材と、を含むインシュレータと、前記インシュレータを覆うハウジングと、前記カードと嵌合離脱する際、カードと当接して前記カードと共に移動するイジェクト部材と、前記イジェクト機構を前記カード離脱方向へ操作する操作部材と、前記操作部材の操作を前記イジェクト部材に伝達して回転可能に保持される回転部材とを含むイジェクト機構とを含み、前記回転部材は回転中心を有し、前記回転中心は前記インシュレータの連接部材に配置される。【選択図】図２
2008277296.tif 000002
【特許請求の範囲】
【請求項１】
幅が狭いカードまたは幅が広いカードと選択的に接続するカード用コネクタにおいて、
長手方向での基部と、前記カードの挿入方向の最前側の一隅に形成された連接部材と、前記連接部材と異なる平面に位置するガイド部材と、を含むインシュレータと、
前記インシュレータを覆うハウジングと、
前記幅が狭いカード及び幅が広いカードの内どちらか一方と嵌合離脱する際、前記幅が狭いカード及び幅が広いカードの内どちらか一方と当接して前記幅が狭いカード及び幅が広いカードの内どちらか一方と共に移動するイジェクト部材と、前記イジェクト機構を前記幅が狭いカード及び幅が広いカードの内どちらか一方の離脱方向へ操作する操作部材と、前記操作部材の操作を前記イジェクト部材に伝達して回転可能に保持される回転部材とを含むイジェクト機構と
を含み、
前記回転部材は回転中心を有し、前記回転中心は前記インシュレータの連接部材に配置されることを特徴とするカード用コネクタ。
【請求項２】
前記基部と連接部材とガイド部材とが、一体に成型されたことを特徴とする、請求項１に記載のカード用コネクタ。
【請求項３】
前記回転部材をレバー形状で構成し、
前記イジェクト部材は、前記回転部材の一端と係合する連動部と、前記カードが挿入された嵌合位置でカードの端部に当接するための当接部とを有することを特徴とする、請求項１に記載のカード用コネクタ。
【請求項４】
前記連動部材には取付溝が形成され、前記イジェクト部材の連動部が前記取付溝にスライド可能に収容されることを特徴とする、請求項３に記載のカード用コネクタ。
【請求項５】
前記回転部材の回転中心は、連接部材に形成された軸部と、前記軸部に回転可能に係合するために、前記回転部材の中部に形成された軸部とで形成されることを特徴とする、請求項1に記載のカード用コネクタ。
【請求項６】
前記ハウジングには、前記連接部材の軸部と前記回転部材の軸部に回転可能に係合される位置決め孔が形成されることを特徴とする、請求項５に記載のカード用コネクタ。
【請求項７】
第１カード及び第２カードと同時的に接続するカード用コネクタ組立体において、積み重なるように配置される第１カードコネクタと第２カード用コネクタとを含み、
前記第１カード用コネクタにおいて、
第１カードが挿入されるＬ字形状を呈する第１スペースと、
長手方向での基部と、前記第１カードの挿入方向の最前側の一隅に形成された連接部材と、前記連接部材と異なる平面に位置するガイド部材とを含み、前記第１スペースの奥側に配置されるインシュレータと、
前記インシュレータを覆うハウジングと、を含み、
前記第２カード用コネクタにおいて、第２カードが挿入される第２スペースを含み、
第１カードと第２カードをそれぞれイジェクトするために、第１カード用コネクタと第２カード用コネクタにそれぞれ配置される第１イジェクト機構及び第２イジェクト機構とを含み、
前記第１イジェクト機構及び第２イジェクト機構は、第１カード及び第２カードと嵌合離脱する際、第１カード及び第２カードとそれぞれ当接して前記第１カードと第２カードと共に移動するイジェクトバーと、前記イジェクト機構を第１カード及び第２カードの離脱方向へ操作する操作レバーと、前記操作部材の操作を前記イジェクト部材に伝達して回転可能に保持される回転レバーと、をそれぞれ含み、
前記第１イジェクト機構及び第２イジェクト機構の回転部材は回転中心をそれぞれ有し、前記各回転中心はインシュレータの連接部材にそれぞれ配置されることを特徴とするカード用コネクタ組立体。
【請求項８】
前記基部と連接部材とガイド部材とが、一体に成型されたことを特徴とする、請求項７に記載のカード用コネクタ組立体。
【請求項９】
前記各回転部材をレバー形状でそれぞれ構成し、
前記各イジェクト部材は、前記回転部材の一端と係合する連動部と、前記カードが挿入された嵌合位置でカードの端部に当接するための当接部とをそれぞれ有することを特徴とする、請求項７に記載のカード用コネクタ組立体。
【請求項１０】
前記第１イジェクト機構及び第２イジェクト機構の回転中心は、前記連接部材の上下側壁にそれぞれ配置されることを特徴とする、請求項７に記載のカード用コネクタ組立体。
【請求項１１】
前記第１スペースには、幅が狭いかまたは幅が広い第１カードが選択的に接続されることを特徴とする、請求項７に記載のカード用コネクタ組立体。
【発明の詳細な説明】
【技術分野】
【０００１】
本発明は、カード用コネクタ及びカード用コネクタ組立体に関し、特にイジェクト機構に関するものである。
【背景技術】
【０００２】
一例として、ＰＣＭＣＩＡの規格によれば、コネクタの種類は、イクスプレスカード用コネクタであり、接続対象物の種類は、矩形形状を呈する３４モジュール（以下、イクスプレスカード/３４という。）とＬ字形状を呈する５４モジュール（以下、イクスプレスカード/５４という）である。
【０００３】
従来技術のカードコネクタ組立体は、特許文献１に示すように、複数の導電端子を装着されたインシュレータと、インシュレータを覆っているハウジングと、ハウジングの一側面に取付たイジェクト機構とを有する。前記イジェクト機構は、ハウジングの右側面に平行にスライド可能に設けられた操作レバーと回転レバーとを有し、操作レバーには操作ボタンが設けられ、回転レバーがハウジングの軸に支持される。操作ボタンをカードの挿入方向に押すと、操作レバーの先端が回転レバーの右端を押す。すると、回転レバーはハウジングの軸を回転中心としてカードを離脱方向に押すことにより、カードはカード用コネクタ組立体からイジェクトされる。
【特許文献１】中国実用新案公告第２８０９９６０号明細書
【発明の開示】
【発明が解決しようとする課題】
【０００４】
しかしながら、特許文献１に掲示されたカード用コネクタ組立体では、回転レバーが直接カードの先端部を押してカードをイジェクトするので、回転レバーの回転軸をカードとカード用コネクタ組立体との嵌合面の近傍に配置せざるを得ない。したがって、カード用コネクタ組立体が大型となっていた。また、特許文献１に掲示されたイジェクト機構の回転レバーがハウジングの外側に露出するので、ぶつかられ易く、カードのイジェクトをスムーズに行い難い。そこで、上記欠点に鑑みて、新型のカード用コネクタを開発することが必要である。
【０００５】
本発明は、小型化が図れ、カードのイジェクトをスムーズに行なうカード用コネクタ及びカード用コネクタ組立体を提供することを目的とする。
【課題を解決するための手段】
【０００６】
前記目的を達成するために、本発明の幅が狭いカードまたは幅が広いカードと選択的に接続するカード用コネクタにおいては、長手方向での基部と、前記カードの挿入方向の最前側の一隅に形成された連接部材と、前記連接部材と異なる平面に位置するガイド部材と、を含むインシュレータと、前記インシュレータを覆うハウジングと、前記幅が狭いカード及び幅が広いカードの内どちらか一方と嵌合離脱する際、幅が狭いカード及び幅が広いカードの内どちらか一方と当接して前記幅が狭いカード及び幅が広いカードの内どちらか一方と共に移動するイジェクト部材と、前記イジェクト機構を前記幅が狭いカード及び幅が広いカードの内どちらか一方の離脱方向へ操作する操作部材と、前記操作部材の操作を前記イジェクト部材に伝達して回転可能に保持される回転部材とを含むイジェクト機構とを含み、前記回転部材は回転中心を有し、前記回転中心は前記インシュレータの連接部材に配置される。
【０００７】
また、前記目的を達成するために、本発明の第１カード及び第２カードと同時的に接続するカード用コネクタ組立体においては、積み重なるように配置される第１カードコネクタと第２カード用コネクタとを含み、前記第１カード用コネクタにおいて、第１カードが挿入されるＬ字形状を呈する第１スペースと、長手方向での基部と、前記第１カードの挿入方向の最前側の一隅に形成された連接部材と、前記連接部材と異なる平面に位置するガイド部材とを含み、前記第１スペースの奥側に配置されるインシュレータと、前記インシュレータを覆うハウジングと、を含み、前記第２カード用コネクタにおいて、第２カードが挿入される第２スペースを含み、第１カードと第２カードをそれぞれイジェクトするために、第１カード用コネクタと第２カード用コネクタにそれぞれ配置される第１イジェクト機構及び第２イジェクト機構とを含み、前記第１イジェクト機構及び第２イジェクト機構は、第１カード及び第２カードと嵌合離脱する際、第１カード及び第２カードとそれぞれ当接して前記第１カードと第２カードと共に移動するイジェクトバーと、前記イジェクト機構を第１カード及び第２カードの離脱方向へ操作する操作レバーと、前記操作部材の操作を前記イジェクト部材に伝達して回転可能に保持される回転レバーと、をそれぞれ含み、前記第１イジェクト機構及び第２イジェクト機構の回転部材は回転中心をそれぞれ有し、前記各回転中心はインシュレータの連接部材にそれぞれ配置される。
【発明の効果】
【０００８】
従来の技術に比べると、本発明は以下の効果を奏する。イジェクト機構の回転部材がインシュレータの連接部材に配置され、カードとカード用コネクタとの嵌合面の近傍に配置されないので、カード用コネクタ組立体の嵌合離脱方向のサイズが小さくなり、カード用コネクタ組立体は小型となる。また、回転部材がハウジングの内部に配置されるので、外界の部材にぶつかられることが防止でき、カードのイジェクトをスムーズに行なっている。
【発明を実施するための最良の形態】
【０００９】
図１〜図５に基づいて、本発明のカード用コネクタ組立体１００について説明する。カード用コネクタ組立体１００は、回路基板に実装されることにより電子設備の間の信号を伝送することが達成できる。カード用コネクタ組立体１００が第１カード用コネクタ８と、第１カード用コネクタ８に積み重ねるように配置される第２カード用コネクタ９と、を有する。第１カード用コネクタ８は第１カードを収容するためのＬ字形状を呈する第１スペース８０を有し、第２カード用コネクタ９は第２カードを収容するための第２スペース９０を有し、本実施形態において、第１カードは幅が狭いイクスプレスカード/３４または幅が広いイクスプレスカード/５４であり、第２カードはスマートカードであり、第１カードと第２カードの伝送速度は互いに異なり、第１カードの伝送速度は第２カードの伝送速度より速い。
【００１０】
図２を参照すると、第１カード用コネクタ８は、第１ハウジング１と、第１インシュレータ２と、第１インシュレータ２に装着された複数の第１端子２３とを有する。第１ハウジング１によりＬ字形状を呈する第１スペース８０からなり、ここで、以下の説明において、第１スペース８０の幅の狭い一側を前、幅の広い他側を後と呼ぶ。第１ハウジング１は主体部１０と主体部１０の側縁から下向きに折曲がって延出した側壁１２を有し、前記主体部１０には位置決め孔１０１が形成されている。
【００１１】
図２と図３を参照すると、第１インシュレータ２は、長手方向に延出した基部２０と、基部２０から前向きに延出するように形成された舌片２４と、三角形状を呈するガイド部材２２と、基部２０とガイド部材２２を連接するために、前記第１カードの挿入方向の最前側の一隅に形成された略矩形形状を呈する連接部材２１とが一体に成型され、連接部材２１とガイド部材２２との一側面が階段面であり、即ち、連接部材２１とガイド部材２２は異なる平面にそれぞれ位置している。前記舌片２４には第１端子２３を対応するように収容するための端子溝２４０がそれぞれ形成される。前記連接部材２１には、第１ハウジング１の位置決め孔１０１に対応した軸部２１０と、前記基部２０に隣接した箇所に第１カードの挿入方向に沿って延出するように形成された取付溝２１１とが設けられ、取付溝２１１の一端が連接部材２１を貫通して第１スペース８０に連通している。
【００１２】
第２カード用コネクタ９は、第２ハウジング４と、第２インシュレータ３と、第２ハウジングに保持される端子モジュール４０と、端子モジュール４０に保持された二列で並ぶように第２スペース９０から突出し配置された第２端子４１と、を有する。第２ハウジング４は、本体部４４と、本体部４４の側縁から折曲がるように延出するように形成された側壁４５とを備え、本体部４４の端子モジュール４０に隣接する箇所には、カードの挿入方向に沿って延出するように形成された通溝４３が設けられる。
【００１３】
前記第１インシュレータ２及び第２インシュレータ３の前端にはベース７が配置され、第１端子２３及び第２端子４１がベース７の通孔７０をそれぞれ貫通することにより位置決めされる。第１インシュレータ２及び第２インシュレータ３は、前端でネジ部材６により、後端で保持片１１により積み重なるように保持される。
【００１４】
図４と図５を参照すると、前記第１カード用コネクタ８及び第２カード用コネクタ９には、構造がほぼ同じ第１イジェクト機構５及び第２イジェクト機構５’がそれぞれ実装され、第１カードと第２カードとそれぞれ嵌合離脱する際、各カードと当接して前記各カードと共に移動するイジェクトバー５４、５４’と、前記イジェクト機構をカードの離脱方向へ操作する操作レバーと、前記操作部材の操作を前記イジェクト部材に伝達して回転可能に保持される回転レバー５３、５３’と、をそれぞれ含む。
【００１５】
前記操作レバーには、支持部材５０、５０’と、前記支持部材５０、５０’にそれぞれ収容される操作ボタン５１、５１’と、回転レバー５３、５３’に係合するための連接部５２、５２’と、を有する。前記支持部材５０、５０’は、第１、第２イジェクト機構５、５’をカード用コネクタ組立体にそれぞれ実装させるための係合片５０１、５０１’を有する。回転レバー５３、５３’は、一端が前記操作レバーの連接部５２、５２’にそれぞれ係合し、他端がイジェクトバー５４、５４’にそれぞれ係合し、略中部には軸部５３０、５３０’がそれぞれ形成される。回転レバー５３の軸部５３０は前記第１カード用コネクタ８の第１ハウジング１に形成された位置決め孔１０１と連接部材２１の軸部２１０とに回転可能に係合し、回転レバー５３は回転可能に係合した軸部５３０、位置決め孔１０１、軸部２１０を回転中心として回転する。回転レバー５３’の軸部５３０’は連接部材２１の底部に形成された軸部（図示せず）に回転可能に係合し、回転レバー５３は回転可能に係合した軸部５３０’及び連接部材２１の底部に形成された軸部を回転中心として回転する。
【００１６】
イジェクトバー５４、５４’は、回転レバー５３、５３’の他端に係合するための連動部５４１、５４１’と、カードと当接するための当接部５４２、５４２’とを有する。前記当接部５４２、５４２’は連動部５４１、５４１’から折曲がって延出するように形成され、第１スペース８０及び第２スペース９０にそれぞれ突出している。
【００１７】
図２〜図５を参照すると、第１イジェクト機構５は第１インシュレータ２の一側に実装され、回転レバー５３が連接部材２１の頂面に配置され、イジェクトバー５４の連動部５４１が前記連接部材２１の取付溝２１１に可動的に収容され、当接部５４２が第１スペース８０に突出している。第１カードが第１スペース８０に挿入された際に、操作ボタン５１を第１カードの挿入方向へ押すと、回転レバー５３は回転可能に係合した軸部５３０、位置決め孔１０１、軸部２１０を回転中心として回転する。すると、イジェクトバー５４が第１カードのイジェクト方向へスライドするので、当接部５４２は第１カードの前端部を押す。したがって、第１カードは前記第１カード用コネクタ８の第１スペース８０からイジェクトされる。
【００１８】
第２イジェクト機構５’は第２インシュレータ３の一側に実装され、回転レバー５３’は連動部材２１の底面に配置され、軸部５３０’は連接部材２１の底部に形成された軸部（図示せず）に回転可能に係合する。イジェクトバー５４’の連動部５４１’が第２ハウジング４の表面に貼付けられ、当接部５４２’が第２ハウジング４の通溝４３を貫通して第２スペース９０に突出して、かつ、当接部５４２’が通溝４３をスライドできる。第２イジェクト機構５’が第２カードを第２カード用コネクタ９からイジェクトする原理は、第１イジェクト機構５と同じなので、ここでは、詳細に説明しない。
【図面の簡単な説明】
【００１９】
【図１】本発明に係るカード用コネクタ組立体の組立斜視図である。
【図２】本発明に係るカード用コネクタ組立体の分解平面図である。
【図３】本発明に係るカード用コネクタ組立体の第１ハウジングと第２カード用コネクタの組立斜視図である。
【図４】本発明に係るカード用コネクタ組立体の第１イジェクト機構及び第２イジェクト機構の組立斜視図である。
【図５】本発明に係るカード用コネクタ組立体の第１イジェクト機構及び第２イジェクト機構の他の角度から見た組立斜視図である。
【符号の説明】
【００２０】
１００  カード用コネクタ組立体
１  第１ハウジング
１０  主体部
１０１  位置決め孔
１２  側壁
２  第１インシュレータ
２０  基部
２１  連接部材
２１０  軸部
２１１  取付溝
２２  ガイド部材
２３  第１端子
２４  舌片
２４０  端子溝
３  第２インシュレータ
４  第２ハウジング
４０  端子モジュール
４１  第２端子
４３  通溝
４４  本体部
４５  側壁
５  第１イジェクト機構
５’ 第２イジェクト機構
５０、５０’  支持部材
５０１、５０１’  係合片
５１、５１’  操作ボタン
５２、５２’  連接部
５３、５３’  回転レバー
５３０、５３０’  軸部
５４、５４’  イジェクトバー
５４１、５４１’  連動部
５４２、５４２’  当接部
６  ネジ部材
７  ベース
７０  通孔
８  第１カード用コネクタ
８０  第１スペース
９  第２カード用コネクタ
９０  第２スペース 
【図１】
2008277296.tif 000003
【図２】
2008277296.tif 000004
【図３】
2008277296.tif 000005
【図４】
2008277296.tif 000006
【図５】
2008277296.tif 000007